(57)【要約】ゴルフクラブにおけるヘッドのスイートスポットにゴルフボールを当て易くすることによりゴルフボールを意思通りに打ち易くすることができるゴルフクラブ用グリップおよびゴルフクラブを提供する。ゴルフクラブ１００は、棒状に延びるシャフト１０１の一方の端部にボルフボールを打つためのヘッド１０２が設けられるとともに他方の端部にプレーヤがシャフト１０１を握るためのグリップ１０３が設けられて構成されている。グリップ１０３は、棒状に延びる把持部１０４の内部に有底穴状の挿込部１０６が形成されて構成されている。把持部１０４は、グリップ１０３がシャフト１０１に取り付けられた状態において把持部１０４の軸線ＡＸＨの延長線上にヘッド１０２の重心ＣＣが位置するように挿込部１０６の軸線ＡＸＳに対して傾斜して形成されている。  図１
2013150914.tif 000002
【特許請求の範囲】
【請求項１】
ゴルフボールを打つヘッドから棒状に延びるシャフトの端部に設けられるゴルフクラブ用グリップにおいて、
前記ヘッドで前記ゴルフボールを打つ際に握られる棒状に形成された把持部と、
前記把持部の内側に形成されて前記シャフトの端部が挿し込まれる筒状の挿込部とを備え、
前記把持部は、
前記挿込部に挿し込んだ前記シャフトの軸線に対して前記把持部の軸線が傾斜するように前記挿込部の軸線に対して傾斜して形成されていることを特徴とするゴルフクラブ用グリップ。
【請求項２】
請求項１に記載したゴルフクラブ用グリップにおいて
前記把持部は、
前記ヘッドの重心、前記ヘッドのフェース面におけるスイートスポットおよび前記スイートスポットに前記ゴルフボールを当てた際における同ゴルフボールの重心のうちのいずれかの位置を中心とする前記ゴルフボールの半径と同じ半径の球状の領域内に前記把持部の軸線の延長線が通るように前記挿込部の軸線に対して傾斜して形成されていることを特徴とするゴルフクラブ用グリップ。
【請求項３】
請求項２に記載したゴルフクラブ用グリップにおいて、
前記把持部は、
前記ヘッドの重心、前記ヘッドのフェース面におけるスイートスポットおよび前記スイートスポットに前記ゴルフボールを当てた際における前記ゴルフボールの重心のうちのいずれかの位置を前記把持部の軸線の延長線が通るように前記挿込部の軸線に対して傾斜して形成されていることを特徴とするゴルフクラブ用グリップ。
【請求項４】
請求項１に記載したゴルフクラブ用グリップにおいて
前記把持部は、
前記把持部の軸線が前記挿込部の軸線に対して前記ヘッドのトゥ側に向かって２°以上かつ５°以下の範囲の角度で傾斜して形成されていることを特徴とするゴルフクラブ用グリップ。
【請求項５】
請求項１または請求項４に記載したゴルフ用グリップにおいて、
前記把持部は、
前記ヘッドの重心または前記ヘッドのフェース面におけるスイートスポットに対して前記ヘッドのトゥ側に向かって前記ゴルフボールの半径以上の領域に前記把持部の軸線の延長線が通るように前記挿込部の軸線に対して傾斜して形成されていることを特徴とするゴルフクラブ用グリップ。
【請求項６】
請求項１ないし請求項５のうちのいずれか１つに記載したゴルフクラブ用グリップにおいて、
前記把持部は、
前記把持部の軸線と前記挿込部の軸線とを含む平面が交わる部分上に目印が形成されていることを特徴とするゴルフクラブ用グリップ。
【請求項７】
請求項６に記載したゴルフクラブ用グリップにおいて、
前記目印は、前記把持部の軸線方向に沿って溝状に形成されていることを特徴とするゴルフクラブ用グリップ。
【請求項８】
ゴルフボールを打つためのヘッドと、
前記ヘッドから棒状に延びて形成されたシャフトと、
前記シャフトにおける端部に設けられた前記請求項１ないし請求項７のうちのいずれか１つに記載したゴルフクラブ用グリップとを備えたことを特徴とするゴルフクラブ。
【発明の詳細な説明】
【技術分野】
【０００１】
本発明は、ゴルフクラブのシャフトの先端部に取り付けられるゴルフクラブ用グリップおよびゴルフクラブに関する。
【背景技術】
【０００２】
従来から、球技としてのゴルフにおいては、ゴルフボールを打つための道具としてゴルフクラブが用いられている。一般に、ゴルフクラブは、例えば、下記特許文献１に示されるように、棒状に延びるシャフトの一方の端部にボルフボールを打つためのヘッドが設けられるとともに他方の端部にプレーヤがシャフトを握るためのゴルフクラブ用グリップが設けられて構成されている。
【先行技術文献】
【特許文献】
【０００３】
【特許文献１】特開２０１１−１０６６９号公報
【０００４】
しかしながら、このような従来のゴルフクラブにおいては、図６（Ａ），（Ｂ）に示すように、ゴルフクラブ１におけるシャフト２の図示上端部に設けられたゴルフクラブ用グリップ３の軸線ＡＸＧがシャフト２の図示下端部に設けられたヘッド４の重心ＣＣから外れているため、ゴルフボールをヘッドのスイートスポットＳで打つためには相応の習熟が必要でありゴルフボールをプレーヤの意思通りに打つことが困難という問題があった。これに対して、例えば、野球やテニスなどの球技においては、バットやラケットの把持部分であるグリップの軸線の延長線上にスイートスポットが存在するため、把持部分の延長線上でボールを打つように操作することにより比較的容易にスイートスポット上でボールを打つことができ打球の方向および強さもコントロールし易い。【０００５】
しかし、ゴルフにおいては、前記した通りゴルフクラブ用グリップ３の軸線ＡＸＧの延長線上からヘッド４がずれた位置に配置されているため、プレーヤはこのずれ量を加味してゴルフクラブをスイングしなければならず、ヘッド４のスイートスポットＳにゴルフボールを当てることが困難で打球の方向や強さを思い通りにコントロールし難くいという問題があった。なお、ゴルフクラブ１のヘッド４におけるスイートスポットＳとは、ヘッド４の重心からフェース面４ａに向かって引いた垂線がフェース面４ａと交わる部分およびその周囲のエリア（スイートエリア）であり、最も効果的、すなわち、ゴルフボールを打つ際の反力に違和感を覚えることなく最長の飛距離を出すことができるエリアのことである。【０００６】
本発明は上記問題に対処するためなされたもので、その目的は、ゴルフクラブにおけるヘッドのスイートスポットにゴルフボールを当て易くすることによりゴルフボールを意思通りに打ち易くすることができるゴルフクラブ用グリップおよびゴルフクラブを提供することにある。
【発明の概要】
【０００７】
上記目的を達成するため、本発明の特徴は、ゴルフボールを打つヘッドから棒状に延びるシャフトの端部に設けられるゴルフクラブ用グリップにおいて、ヘッドでゴルフボールを打つ際に握られる棒状に形成された把持部と、把持部の内側に形成されてシャフトの端部が挿し込まれる筒状の挿込部とを備え、把持部は、挿込部に挿し込んだシャフトの軸線に対して把持部の軸線が傾斜するように挿込部の軸線に対して傾斜して形成されていることにある。
【０００８】
このように構成した本発明の特徴によれば、ゴルフクラブ用グリップは、シャフトが挿し込まれる挿込部の軸線に対してゴルフのプレーヤに握られる把持部の軸線が傾斜して形成されている。したがって、プレーヤは、自分が打ち易いと感じる傾斜具合の把持部が形成されたゴルフクラブ用グリップを用いることによってヘッドのスイートスポットでゴルフボールを容易に打つことができる。すなわち、本発明に係るゴルフクラブ用グリップによれば、ゴルフクラブにおけるヘッドのスイートスポットに容易にゴルフボールを当てることができ、結果としてゴルフボールを意思通りに打ち易くすることができる。
【０００９】
また、本発明の他の特徴は、前記ゴルフクラブ用グリップにおいて、把持部は、ヘッドの重心、ヘッドのフェース面におけるスイートスポットおよびスイートスポットにゴルフボールを当てた際におけるこのゴルフボールの重心のうちのいずれかの位置を中心とするゴルフボールの半径と同じ半径の球状の領域内に把持部の軸線の延長線が通るように挿込部の軸線に対して傾斜して形成されていることにある。
【００１０】
このように構成した本発明の特徴によれば、ゴルフクラブ用グリップは、シャフトが挿し込まれる挿込部の軸線に対してゴルフのプレーヤに握られる把持部の形成方向が傾斜して形成されることにより、ヘッドの重心、ヘッドのフェース面におけるスイートスポットおよびスイートスポットにゴルフボールを当てた際におけるゴルフボールの重心のいずれかの位置を中心とするゴルフボールの半径相当量を半径とする球状の領域内に把持部の軸線の延長線が通るように構成されている。これにより、プレーヤは、握ったゴルフクラブ用グリップの軸線の延長線上にヘッドの重心、フェース面におけるスイートスポットおよびスイートスポットでゴルフボールを打った際におけるゴルフボールの重心のうちのいずれかの位置の周囲領域が存在しているため、ゴルフ用グリップの軸線の延長線上でゴルフボールを打つようにゴルフクラブを操作することによってヘッドのスイートスポットでゴルフボールを打つことが容易となる。すなわち、本発明に係るゴルフクラブ用グリップによれば、ゴルフクラブにおけるヘッドのスイートスポットに容易にゴルフボールを当てることができ、結果としてゴルフボールを意思通りに打ち易くすることができる。
【００１１】
また、本発明の他の特徴は、前記ゴルフクラブ用グリップにおいて、記把持部は、ヘッドの重心、ヘッドのフェース面におけるスイートスポットおよびスイートスポットにゴルフボールを当てた際におけるゴルフボールの重心のうちのいずれかの位置を把持部の軸線の延長線が通るように挿込部の軸線に対して傾斜して形成されていることにある。
【００１２】
このように構成した本発明の他の特徴によれば、ゴルフクラブ用グリップは、ヘッドの重心、ヘッドのフェース面におけるスイートスポットおよびスイートスポットにゴルフボールを当てた際におけるゴルフボールの重心のいずれかの位置に把持部の軸線の延長線が通るように構成されている。これにより、プレーヤは、握ったゴルフクラブ用グリップの軸線の延長線上にヘッドの重心、フェース面におけるスイートスポットおよびスイートスポットでゴルフボールを打った際におけるゴルフボールの重心のうちのいずれかの位置が存在しているため、ゴルフ用グリップの軸線の延長線上でゴルフボールを打つようにゴルフクラブを操作することによってヘッドのスイートスポットでゴルフボールを打つことが容易となる。すなわち、本発明に係るゴルフクラブ用グリップによれば、ゴルフクラブにおけるヘッドのスイートスポットに容易にゴルフボールを当てることができ、結果としてゴルフボールを意思通りに打ち易くすることができる。
【００１３】
また、本発明の他の特徴は、前記ゴルフクラブ用グリップにおいて、把持部は、把持部の軸線が挿込部の軸線に対してヘッドのトゥ側に向かって２°以上かつ５°以下の範囲の角度で傾斜して形成されていることにある。
【００１４】
このように構成した本発明の他の特徴によれば、ゴルフクラブ用グリップは、把持部の軸線が挿込部の軸線に対してヘッドのトゥ側に向かって２°以上かつ５°以下の範囲の角度で形成されることによってプレーヤがゴルフボールを打つ際におけるシャフトの軸線が垂直方向に近づく。これにより、ゴルフクラブ用グリップは、プレーヤがゴルフクラブを構えた際に感じるヘッドの身体側向かうモーメントやゴルフボールを打つ際に生じる所謂トゥダウンを抑制することができる。
【００１５】
また、本発明の他の特徴は、前記ゴルフクラブ用グリップにおいて、把持部は、ヘッドの重心またはヘッドのフェース面におけるスイートスポットに対して前記ヘッドのトゥ側に向かって前記ゴルフボールの半径以上の領域に把持部の軸線の延長線が通るように挿込部の軸線に対して傾斜して形成されていることにある。
【００１６】
このように構成した本発明の他の特徴によれば、ゴルフクラブ用グリップは、把持部がヘッドの重心またはヘッドのフェース面におけるスイートスポットに対してヘッドのトゥ側に向かってゴルフボールの半径以上の領域に把持部の軸線の延長線が通るように挿込部の軸線に対して傾斜して形成されることによってプレーヤがゴルフボールを打つ際におけるシャフトの軸線が垂直方向に近づく。これにより、ゴルフクラブ用グリップは、プレーヤがゴルフクラブを構えた際に感じるヘッドの身体側向かうモーメントやゴルフボールを打つ際に生じる所謂トゥダウンを抑制することができる。
【００１７】
また、本発明の他の特徴は、前記ゴルフクラブ用グリップにおいて、把持部は、把持部の軸線と挿込部の軸線とを含む平面が交わる部分上に目印が形成されていることにある。
【００１８】
このように構成した本発明の他の特徴によれば、ゴルフクラブ用グリップは、把持部の軸線と挿込部の軸線とを含む平面が交わる把持部上に目印が形成されている。すなわち、ゴルフクラブ用グリップの把持部上には、把持部の軸線が挿込部の軸線に対して傾斜する方向上に目印が形成されている。これにより、ゴルフクラブ用グリップをシャフトに装着しようとする作業者は、把持部の軸線をシャフトに接続されたヘッド、例えば、ヘッドの重心、スイートスポット、角部または外縁部などに容易に位置決めしてゴルフクラブ用グリップをシャフトに装着することができる。なお、ゴルフクラブ用グリップの把持部上に形成される目印は、把持部上においてヘッドの先端部側の所謂トゥ側およびヘッドにおけるシャフトの接続部側である所謂ヒール側の少なくとも一方に形成されていればよいが、ヘッドのトゥ側に形成した方がゴルフクラブ用グリップをより正確かつ容易に位置決めしてシャフトに装着することができる。
【００１９】
また、本発明の他の特徴は、前記ゴルフクラブ用グリップにおいて、目印は、把持部の軸線方向に沿って溝状に形成されていることにある。
【００２０】
このように構成した本発明の他の特徴によれば、ゴルフクラブ用グリップは、目印が把持部の軸線方向に沿って溝状に形成されている。これにより、ゴルフクラブ用グリップをシャフトに装着しようとする作業者は、把持部の軸線が傾斜する方向をより明確に認識することができるため、シャフトに接続されたヘッドに対して把持部の軸線方向を容易に位置決めした状態でゴルフクラブ用グリップをシャフトに装着することができる。また、作業者は、溝状に形成された目印内に棒状や板状に延びる長尺物を挿し込むことにより、より明確に把持部の軸線方向を把握できるため、ヘッドに対して把持部の軸線方向を容易かつ正確に位置決めしてゴルフクラブ用グリップをシャフトに装着することができる。
【００２１】
また、本発明はゴルフクラブ用グリップの発明として実施できるばかりでなく、このゴルフクラブ用グリップを備えたゴルフクラブの発明としても実施できるものである。
【００２２】
具体的には、ゴルフクラブは、ゴルフボールを打つためのヘッドと、ヘッドから棒状に延びて形成されたシャフトと、シャフトにおける端部に設けられた請求項１ないし請求項７のうちのいずれか１つに記載したゴルフクラブ用グリップとを備えるようにすればよい。これによっても、上記ゴルフクラブ用グリップと同様の作用効果を期待できる。
【図面の簡単な説明】
【００２３】
【図１】（Ａ），（Ｂ）は本発明の一実施形態である第１実施形態に係るゴルフクラブ用グリップを備えたゴルフクラブの全体構成を概略的に示しており、（Ａ）は同ゴルフクラブの一部破断正面図であり、（Ｂ）は同ゴルフクラブの左側面図である。
【図２】図１に示すゴルフクラブにおけるシャフトにゴルフクラブ用グリップを取り付ける作業を示す説明図である。
【図３】本発明の変形例に係るゴルフクラブ用グリップを備えたゴルフクラブの全体構成を概略的に示した一部破断左側面図である。
【図４】本発明の他の変形例に係るゴルフクラブ用グリップを備えたゴルフクラブの全体構成を概略的に示した一部破断左側面図である。
【図５】本発明の一実施形態である第２実施形態に係るゴルフクラブ用グリップを備えたゴルフクラブの全体構成を概略的に示した一部破断正面図である。
【図６】（Ａ），（Ｂ）は従来技術に係るゴルフクラブの全体構成の概略を示しており、（Ａ）は同ゴルフクラブの正面図であり、（Ｂ）は同ゴルフクラブの左側面図である。
【発明を実施するための形態】
【００２４】
（第１実施形態）
以下、本発明に係るゴルフクラブ用グリップの一実施形態である第１実施形態について図面を参照しながら説明する。図１（Ａ），（Ｂ）は、本発明に係るゴルフクラブ用グリップであるグリップ１０３を備えたゴルフクラブ１００の全体構成の概略を示しており、（Ａ）は同ゴルフクラブ１００の一部破断正面図であり、（Ｂ）は同ゴルフクラブ１００の左側面図である。なお、本明細書において参照する各図は、本発明の理解を容易にするために一部の構成要素を誇張して表わすなど模式的に表している。このため、各構成要素間の寸法や比率などは異なっていることがある。このゴルフクラブ１００は、球技としてのゴルフにおいてパッティング時に用いる所謂パターである。
【００２５】
（ゴルフクラブ１００の構成）
ゴルフクラブ１００は、シャフト１０１を備えている。シャフト１０１は、ゴルフクラブ１００においてヘッド１０２とグリップ１０３とを繋ぐ柄であり、各種鋼材や繊維強化樹脂材などの材料を直線状に延びる細長い丸棒状に形成して構成されている。このシャフト１０１は、一方（図示下方）の端部が屈曲してヘッド１０２が取り付けられているとともに、他方（図示上方）の端部にグリップ１０３が取り付けられている。
【００２６】
ヘッド１０２は、ゴルフクラブ１００においてゴルフボール（図示せず）を打つ平面状のフェース面１０２ａを備えた塊状の部材であり、各種鋼材や各種合金鋼を図示左右方向に延びる略直方体状に形成して構成されている。この場合、ヘッド１０２は、シャフト１０１が接続される一方の端部側であるヒール１０２ｂから長手方向における他方の端部であるトゥ１０２ｃまでの長さがフェース面１０２ａに直交する方向の厚さよりも長く形成されている。
【００２７】
グリップ１０３は、ゴルフボールを打つ際にプレーヤ（図示せず）によって把持される部分であり、ゴム材や樹脂材などの材料を略有底筒状に成形して構成されている。より具体的には、グリップ１０３は、棒状に延びる把持部１０４の内部に有底穴状の挿込部１０６が形成されて構成されている。
【００２８】
把持部１０４は、プレーヤがゴルフボールを打つ際に実際にプレーヤによって握られる長尺状の部分であり、一方の端部（図示上端部）から他方の端部（図示下端部）に向かって太さが徐々に細くなる棒状に形成されている。本実施形態においては、把持部１０４は、ヘッド１０２のトゥ１０２ｃ側に平面部１０４ａを有しつつヒール１０２ｂ側が円弧状に形成された断面形状が略Ｄ字に形成されている。
【００２９】
この把持部１０４における平面部１０４ａには、長手方向に沿って凹状に窪んだ溝状の目印１０５が形成されている。目印１０５は、グリップ１０３をシャフト１０１に取り付ける際にグリップ１０３における把持部１０４のヘッド１０２に対する向きを知るためのものであり、平面部１０４ａ上において把持部１０４の軸線ＡＸＨと挿込部１０６の軸線ＡＸＳとを含む平面が交わる部分に把持部１０４に沿って直線状に延びて形成されている。この目印１０５の幅および深さは、後述するガイドロッド１１０を着脱自在に挿し込み可能な幅および深さで形成されている。
【００３０】
挿込部１０６は、シャフト１０１における前記他方の端部である図示上端部が挿し込まれることにより、このシャフト１０１の上端部にグリップ１０３を固定するための有底の穴であり、シャフト１０１の外径に対して若干小さい所謂締り嵌めの穴径で形成されている。この挿込部１０６は、グリップ１０３がシャフト１０１に取り付けられた状態において把持部１０４の軸線ＡＸＨの延長線上にヘッド１０２の重心ＣＣが位置するように把持部１０４の軸線ＡＸＨに対して傾斜して形成されている。すなわち、グリップ１０３における把持部１０４は、グリップ１０３がシャフト１０１に取り付けられた状態において把持部１０４の軸線ＡＸＨの延長線上にヘッド１０２の重心ＣＣが位置するように挿込部１０６の軸線ＡＸＳに対して傾斜して形成されている。
【００３１】
（グリップ１０３の取り付け）
次に、グリップ１０３のシャフト１０１への取り付けについて説明する。まず、グリップ１０３をシャフト１０１に取り付ける作業者は、ヘッド１０２が取り付けられた状態のシャフト１０１、グリップ１０３およびガイドロッド１１０をそれぞれ用意する。この場合、ガイドロッド１１０は、図２に示すように、グリップ１０３の目印１０５に挿し込むことができる厚さでかつ目印１０５に挿し込まれた状態において先端部がヘッド１０２の近傍に位置する長さに形成された樹脂製の板状体である。
【００３２】
次に、作業者は、シャフト１０１におけるグリップ１０３が挿し込まれる図示上端部分および／またはグリップ１０３の挿込部１０６内に接着剤を塗布した後、シャフト１０１の図示上端部をグリップ１０３の挿込部１０６内に挿し込む。次いで、作業者は、グリップ１０３における把持部１０４の軸線ＡＸＨの延長線上にヘッド１０２の重心ＣＣが位置するように把持部１０４のヘッド１０２に対するシャフト１０１の軸線ＡＸＳ回りの位置を調節する。
【００３３】
具体的には、作業者は、図２に示すように、ガイドロッド１１０をグリップ１０３の目印１０５内に挿し込む。これにより、作業者は、グリップ１０３における把持部１０４の軸線ＡＸＨの延長方向を容易に認識することができる。したがって、作業者は、ガイドロッド１１０を介して把持部１０４の軸線ＡＸＨのシャフト１０１の軸線ＡＸＳ回りの位置を確認しながらグリップ１０３をシャフト１０１に対して回転変位させることによってシャフト１０１の軸線ＡＸＳ回りの位置を位置決めすることができる。すなわち、作業者は、ヘッド１０２の重心ＣＣとシャフト１０１の軸線ＡＸＳとを含む平面内にガイドロッド１１０が位置するようにグリップ１０３のシャフト１０１の軸線ＡＸＳ回りの位置を調節する。これにより、把持部１０４の軸線ＡＸＨがヘッド１０２の重心ＣＣを通る位置で把持部１０４の位置決めを行うことができる。
【００３４】
グリップ１０３のシャフト１０１の軸線ＡＸＳ回りの位置を調節した作業者は、シャフト１０１の外周面とグリップ１０３の挿込部１０６との間に塗布した接着剤の固化を待つ。これにより、シャフト１０１における図示上端部にグリップ１０３が固定的に取り付けられる。なお、このグリップ１０３が取り付けられるシャフト１０１は、新規に製造された所謂新品のシャフト１０１であってもよいし、使い慣れたゴルフクラブのグリップを取り外したシャフト１０１であってもよい。すなわち、本発明に係るグリップ１０３は、新品のシャフト１０１のみならず、使い慣れた従来のゴルフクラブからグリップを取り外した上で新たに取り付けることもできる。
【００３５】
（ゴルフクラブ１００の作動）
次に、このように構成したゴルフクラブ１００の作動について説明する。ゴルフのプレーヤは、ゴルフクラブ１００を用いてパッティングを行う際、ゴルフクラブ１００のグリップ１０３における把持部１０４を握ってゴルフボールに対するヘッド１０２の打点（ヒッティングポイント）を確認する。この場合、プレーヤは、把持部１０４における平面部１０４ａ上に親指が位置するように把持部１０４を握る。そして、プレーヤは、ゴルフボールに対するヘッド１０２のフェース面１０２ａにおけるスイートスポットＳの位置を確認する。ここで、フェース面１０２ａにおけるスイートスポットＳとは、ヘッド１０２の重心ＣＣからフェース面１０２ａに向かって引いた垂線がフェース面１０２ａと交わる部分およびその周辺であり、最も効果的、すなわち、ゴルフボールを打つ際の反力に違和感を覚えることなく最長の飛距離を出すことができる部分である。
【００３６】
この場合、プレーヤは、グリップ１０３の把持部１０４の軸線ＡＸＨの延長線上でゴルフボールを打つようにシャフト１０１を操作することによりゴルフボールに対してヘッド１０２のスイートスポットＳを容易に位置決めすることができる。そして、プレーヤは、ゴルフボールに対するヘッド１０２の位置を確認した後、パッティングを行う。この場合においてもプレーヤは、グリップ１０３の把持部１０４の軸線ＡＸＨの延長線上でゴルフボールを打つようにシャフト１０１を操作することによりヘッド１０２のスイートスポットＳに容易に当ててパッティングを行うことができる。
【００３７】
上記作動説明からも理解できるように、上記第１実施形態によれば、グリップ１０３は、ゴルフのプレーヤに握られる把持部１０４の軸線ＡＸＨ上にヘッド１０２の重心ＣＣが位置するようにシャフト１０１が挿し込まれる挿込部１０６の軸線ＡＸＳに対して把持部１０４が傾斜して形成されている。これにより、プレーヤは、手で握ったグリップ１０３の軸線ＡＸＨの延長線上にヘッドの重心ＣＣが位置しているため、グリップ１０３の軸線ＡＸＨの延長線上でゴルフボールを打つようにゴルフクラブ１００を操作することによってヘッド１０２のスイートスポットＳでゴルフボールを打つことができる。すなわち、本発明に係るグリップ１０３によれば、従来のゴルフクラブに比べてヘッドにおけるスイートスポットＳにゴルフボールを当て易くなるため、ゴルフボールを意思通りに打ち易くする、具体的には、打球の方向および強さのコントロールが容易となる。
【００３８】
さらに、本発明の実施にあたっては、上記第１実施形態に限定されるものではなく、本発明の目的を逸脱しない限りにおいて種々の変更が可能である。なお、下記各変形例を示す図においては、上記第１実施形態におけるゴルフクラブ１００の構成部分に対応する部分に同じ符号を付して、これらの説明は適宜省略する。
【００３９】
例えば、上記第１実施形態においては、グリップ１０３は、把持部１０４の軸線ＡＸＨ上にヘッド１０２の重心ＣＣが位置するように把持部１０４を挿込部１０６の軸線ＡＸＳに対して傾斜させて構成した。しかし、グリップ１０３は、ヘッド１０２のスイートスポットＳまたはその周辺部分に対してゴルフボールを当て易くするように把持部１０４が挿込部１０６の軸線ＡＸＳに対して傾斜して形成されていればよい。
【００４０】
具体的には、例えば、図３に示すように、グリップ１０３は、把持部１０４の軸線ＡＸＨ上にヘッド１０２のフェース面１０２ａにおけるスイートスポットＳが位置するように把持部１０４を挿込部１０６の軸線ＡＸＳに対して傾斜させて構成することができる。これによれば、把持部１０４の軸線ＡＸＨ上にゴルフボールの打点（ヒッティングポイント）が位置するため、よりスイートスポットＳにゴルフボールを当て易くすることができる。
【００４１】
また、例えば、図４に示すように、グリップ１０３は、把持部１０４の軸線ＡＸＨ上にヘッド１０２のフェース面１０２ａにおけるスイートスポットＳでゴルフボールＢを打った際におけるこのゴルフボールＢの重心ＢＣが位置するように把持部１０４を挿込部１０６の軸線ＡＸＳに対して傾斜させて構成することもできる。これによれば、把持部１０４の軸線ＡＸＨ上にゴルフボールＢの重心ＢＣが位置するため、ゴルフボールＢを所謂芯で打つことが容易となる。
【００４２】
また、これらの場合、グリップ１０３における把持部１０４は、ヘッド１０２の重心ＣＣ、ヘッド１０２のフェース面１０２ａにおけるスイートスポットＳの他に、図１〜図４にそれぞれ示すように、これらの各位置を中心とするゴルフボールの半径相当量を半径とする球状のボール領域Ｅ内に把持部１０４の軸線ＡＸＨの延長線が通るように構成されていてもよい。これは、ヘッド１０２のどの位置にゴルフボールを当てるとゴルフボールを打ち易い（換言すれば、ゴルフボールの打球をコントロールし易い）と感じるかはプレーヤによって微妙に異なるためである。すなわち、プレーヤによっては、例えば、スイートスポットＳよりも若干ずれた位置でゴルフボールを打った方が打ち易いと感じる場合があるためである。また、ヘッド１０２のフェース面１０２ａにおけるスイートスポットＳは、必ずしも点としてのみ存在するものではなく、スイートスポットＳの周囲の領域であってもスイートスポットＳと略同等のゴルフボールの飛距離や打球の方向のコントロールが行えるものであり、自ずとスイートスポットＳと実質的に同視し得る所定の領域を含むものである。
【００４３】
なお、図１，図２においては、ボール領域Ｅはヘッド１０２の重心ＣＣを中心とするゴルフボール（図示せず）と同じ半径の球状の領域を二点鎖線で示している。また、図３においては、ボール領域Ｅはヘッド１０２のフェース面１０２ａにおけるスイートスポットＳを中心とするゴルフボール（図示せず）と同じ半径の球状の領域を二点鎖線で示している。また、図４においては、ボール領域Ｅは、グランドＧ上にあるゴルフボールＢのパッティング時において、ヘッド１０２のフェース面１０２ａにおけるスイートスポットＳに当てたゴルフボールＢの重心ＢＣを中心とするゴルフボールＢと同じ半径の球状の領域を二点鎖線で示している。この場合、図４においては、ゴルフボールＢとボール領域Ｅとが互いに重なって表れている。
【００４４】
つまり、本発明の本質は、プレーヤがゴルフボールを打ち易いと感じる位置に向かってグリップ１０３の把持部１０４がシャフト１０１の軸線ＡＸＳに対して傾斜して形成されていることにある。そして、プレーヤがゴルフボールを打ち易いと感じる位置の多くは、ヘッド１０２の重心ＣＣ、スイートスポットＳおよびゴルフボールの重心ＢＣのいずれかの位置を中心とするゴルフボールの半径相当量を半径とする球状のボール領域Ｅ内に存在しているため、これらの各ボール領域Ｅ内に把持部１０４の軸線ＡＸＨの延長線が通るようにすることによってゴルフボールの打球のコントロールを容易にすることができる。
【００４５】
なお、把持部１０４の軸線ＡＸＨの延長線とは、把持部１０４が形成されている形成方向の主たる向きであって、必ずしも把持部１０４の中心軸に限定されるものではなく、把持部１０４を握った手の中心軸または親指をあてがう把持部１０４（本第１実施形態においては平面部１０４ａ）の表面の形成方向の延長線上が含まれるものである。
【００４６】
（第２実施形態）
次に、本発明に係るゴルフクラブ用グリップの他の一実施形態である第２実施形態について図面を参照しながら説明する。図５は、本発明に係るゴルフクラブ用グリップであるグリップ２０３を備えたゴルフクラブ２００の全体構成の概略を示した一部破断正面図である。なお、この第２実施形態の説明においては、主として上記第１実施形態と異なる部分について説明し、上記第１実施形態と同様の構成については対応する符号（百の位のみを変更）を付して作動部分を含めてその説明を適宜省略する。
【００４７】
この第２実施形態におけるゴルフクラブ２００は、上記第１実施形態におけるゴルフクラブ１００に対してグリップ２０３に形成される把持部２０４の形成態様が異なる点において異なっている。
【００４８】
すなわち、本第２実施形態における把持部２０４は、上記第１実施形態における把持部１０４と同様に、プレーヤがゴルフボールを打つ際に実際にプレーヤによって握られる長尺状の部分であり、一方の端部（図示上端部）から他方の端部（図示下端部）に向かって太さが徐々に細くなる棒状に形成されている。本実施形態においては、把持部２０４は、把持部１０４と同様に、ヘッド２０２のトゥ２０２ｃ側に平面部２０４ａを有しつつヒール２０２ｂ側が円弧状に形成された断面形状が略Ｄ字に形成されている。
【００４９】
この把持部２０４における平面部２０４ａには、長手方向に沿って凹状に窪んだ溝状の目印２０５が形成されている。目印２０５は、上記第１実施形態における目印１０５と同様に、グリップ２０３をシャフト２０１に取り付ける際にグリップ２０３における把持部２０４のヘッド２０２に対する向きを知るためのものであり、平面部２０４ａ上において把持部２０４の軸線ＡＸＨと挿込部２０６の軸線ＡＸＳとを含む平面が交わる部分に把持部２０４に沿って直線状に延びて形成されている。この目印２０５の幅および深さは、ガイドロッド１１０を着脱自在に挿し込み可能な幅および深さで形成されている。
【００５０】
挿込部２０６は、上記第１実施形態における挿込部１０６と同様に、シャフト２０１における他方の端部である図示上端部が挿し込まれることにより、このシャフト２０１の上端部にグリップ２０３を固定するための有底の穴であり、シャフト２０１の外径に対して若干小さい所謂締り嵌めの穴径で形成されている。この挿込部２０６は、把持部２０４の軸線ＡＸＨの延長線が挿込部２０６の軸線ＡＸＳに対して傾斜するように形成されている。
【００５１】
より具体的には、挿込部２０６は、グリップ２０３がシャフト２０１に取り付けられた状態において、ヘッド２０２のフェース面２０２ａにおけるスイートスポットＳに対してヘッド２０２のトゥ２０２ｃ側に向かってゴルフボールの半径以上の領域に把持部２０４の軸線ＡＸＨの延長線が通るように形成されている。すなわち、把持部２０４は、ヘッド２０２のフェース面２０２ａにおけるスイートスポットＳに対してヘッド２０２のトゥ２０２ｃ側に向かってゴルフボールの半径以上の領域に把持部２０４の軸線ＡＸＨの延長線が通るように挿込部２０６の軸線ＡＸＳに対して傾斜して形成されている。
【００５２】
（グリップ２０３の取り付け）
そして、このグリップ２０３は、上記実施形態におけるグリップ１０３と同様の手順によってシャフト２０１に取り付けられる。これにより、本実施形態においては、把持部２０４は、把持部２０４の軸線ＡＸＨの延長線がヘッド２０２のトゥ２０２ｃよりも外側を通るように挿込部２０６の軸線ＡＸＳに対して傾斜した状態でシャフト２０１に取り付けられる。
【００５３】
（ゴルフクラブ２００の作動）
次に、このように構成したゴルフクラブ２００の作動について説明する。ゴルフのプレーヤは、ゴルフクラブ２００を用いてパッティングを行う際、ゴルフクラブ２００のグリップ２０３における把持部２０４を握ってゴルフボールに対するヘッド２０２の打点（ヒッティングポイント）を確認する。この場合、プレーヤは、把持部２０４における平面部２０４ａ上に親指が位置するように把持部２０４を握る。そして、プレーヤは、ゴルフボールに対するヘッド２０２のフェース面２０２ａにおけるスイートスポットＳの位置を確認する。
【００５４】
この場合、プレーヤが握るゴルフクラブ２００は、把持部２０４の軸線ＡＸＨが挿込部２０６の軸線ＡＸＳ（すなわち、シャフト２０１の軸線ＡＸＳ）に対して傾斜した状態で形成されているため、把持部２０４を従来通り握って構えた際にシャフト２０１の軸線ＡＸＳが垂直状態に近づく。これにより、ゴルフクラブ２００は、プレーヤがゴルフクラブ２００を構えた際に感じるヘッド２０２のプレーヤ側向かうモーメントを抑制することができる。
【００５５】
そして、プレーヤは、ゴルフボールに対するヘッド２０２の位置を確認した後、パッティングを行う。この場合においてもゴルフクラブ２００は、シャフト２０１の軸線ＡＸＳが垂直状態に近いため、プレーヤがゴルフボールを打つ際に生じる所謂トゥダウンを抑制した状態でプレーすることができる。これらにより、プレーヤは、ヘッド２０２のスイートスポットＳにゴルフボールを容易に当ててパッティングを行うことができる。
【００５６】
上記作動説明からも理解できるように、上記第２実施形態によれば、グリップ２０３は、把持部２０４がヘッド２０２の重心ＣＣまたはヘッド２０２のフェース面０２ａにおけるスイートスポットＳに対してヘッド２０２のトゥ２０２ｃ側に向かってゴルフボールの半径以上の領域に把持部２０２の軸線ＡＸＨの延長線が通るように挿込部２０６の軸線ＡＸＳに対して傾斜して形成されることによってプレーヤがゴルフボールを打つ際におけるシャフト２０１の軸線ＡＸＳが垂直方向に近づく。これにより、グリップ２０３は、プレーヤがゴルフクラブを構えた際に感じるヘッド２０２の身体側向かうモーメントやゴルフボールを打つ際に生じるトゥダウンを抑制することができる。このようなモーメントやゴルフボールを打つ際に生じるトゥダウンを抑制するという効果は、シャフト２０１が長く形成される程、より顕著に発揮されるものである。
【００５７】
さらに、本発明の実施にあたっては、上記第２実施形態に限定されるものではなく、本発明の目的を逸脱しない限りにおいて種々の変更が可能である。なお、下記各変形例を示す図においては、上記第２実施形態におけるゴルフクラブ２００の構成部分に対応する部分に同じ符号を付して、これらの説明は適宜省略する。
【００５８】
例えば、上記第２実施形態においては、グリップ２０３における把持部２０４は、ヘッド２０２のフェース面２０２ａにおけるスイートスポットＳ（例えば、スイートスポットＳの端部や中心）に対してヘッド２０２のトゥ２０２ｃ側に向かってゴルフボールの半径以上の領域に把持部２０４の軸線ＡＸＨの延長線が通るように挿込部２０６の軸線ＡＸＳに対して傾斜して形成されている。しかし、把持部２０４の挿込部２０６に対する傾斜角は、プレーヤの身体側に向かって作用するモーメントやトゥダウンを抑えてプレーヤがゴルフボールを打ち易いと感じることができる角度であれば必ずしも上記実施形態に限定されるものではない。
【００５９】
この場合、本発明者による実験によれば、把持部２０４は、ヘッド２０２の重心ＣＣまたはヘッド２０２のフェース面２０２ａにおけるスイートスポットＳ（例えば、スイートスポットＳの端部や中心）に対してヘッド２０２のトゥ側２０２ｃに向かってゴルフボールの半径以上の領域、好ましくはゴルフボールの半径以上かつ重心ＣＣまたはスイートスポットＳから５ｃｍ以内の領域に把持部２０４の軸線ＡＸＨの延長線が通るように挿込部２０６の軸線ＡＸＳに対して傾斜して形成されているとよい。なお、図５においては、ボール領域Ｅはヘッド２０２の重心ＣＣを中心とするゴルフボール（図示せず）と同じ半径の球状の領域を二点鎖線で示している。
【００６０】
また、本発明者による実験によれば、把持部２０４は、把持部２０４の軸線ＡＸＨが挿込部２０６の軸線ＡＸＳに対してヘッド２０２のトゥ側２０２ｃに向かって２°以上かつ５°以下、好ましくは２.５°以上かつ４°以下の範囲の角度で傾斜して形成されているとよい。
【００６１】
また、上記第１および第２の各実施形態においては、グリップ１０３，２０３における把持部１０４，２０４を平面部１０４ａ，２０４ａを有する断面形状が略Ｄ字状に形成した。しかし、グリップ１０３，２０３における把持部１０４，２０４の形状は、必ずしも上記第１および第２の各実施形態に限定されるものではない。すなわち、グリップ１０３，２０３は、例えば、断面形状が円状、楕円状、方形状、三角形状およびこれらを組み合わせた形状に形成してもよいことは当然である。また、グリップ１０３，２０３における把持部１０４，２０４は、上記第１および第２の各実施形態においては、図示上端部からヘッド１０２，２０２側に向かって太さを細くしたテーパ形状に形成したが、太さが一定または太さが図示上端部からヘッド１０２，２０２側に向かって太くなる形状に形成することもできる。
【００６２】
また、上記第１および第２の各実施形態においては、グリップ１０３，２０３における把持部１０４，２０４の平面部１０４ａ，２０４ａ上に目印１０５，２０５を形成するとともにガイドロッド１１０を用いて把持部１０４，２０４の位置決めを行った。しかし、グリップ１０３，２０３をシャフト１０１，２０１の図示上端部に取り付ける作業者は、ガイドロッド１１０を使用することなく把持部１０４，２０５の軸線ＡＸＨをヘッド１０２，２０２の重心ＣＣに対して位置合わせを行うこともできる。
【００６３】
すなわち、作業者は、溝状に形成された目印１０５，２０５を介して把持部１０４，２０４の軸線ＡＸＨのシャフト１０１，２０１の軸線ＡＸＳ回りの位置を確認しながらグリップ１０３，２０３をシャフト１０１，２０１に対して回転変位させることによってシャフト１０１，２０１の軸線ＡＸＳ回りの位置を位置決めすることができる。これによれば、ガイドロッド１１０が不要なため、上記第１および第２の各実施形態に比べて溝幅を細くすることもできる。なお、ガイドロッド１１０は、上記第１および第２の各実施形態のような板状のもののほか、丸棒状や角棒状に形成することができる。
【００６４】
また、上記第１および第２の各実施形態においては、目印１０５，２０５を溝状に形成した。しかし、目印１０５，２０５は、把持部１０４，２０４における軸線ＡＸＨの延びる方向を知ることができればよい。したがって、目印１０５，２０５は、把持部１０４，２０４の軸線ＡＸＨと挿込部の軸線ＡＸＳとを含む平面が交わる部分上に何らかの印が形成されていればよい。例えば、目印１０５，２０５は、方形状以外の例えば三角形状の溝状に形成されていてもよいし、凸状に張り出した形状に形成されていてもよいし、直線や三角形状の図形や記号を描いたものでもよい。
【００６５】
また、目印１０５，２０５は、把持部１０４，２０４上においてヘッド１０２，２０２の先端部側の所謂トゥ１０２ｃ，２０２ｃ側に形成することに代えてまたは加えてヘッド１０２，２０２におけるシャフト１０１，２０１の接続部側である所謂ヒール１０２ｂ，２０２ｂ側に形成することもできる。また、目印１０５，２０５は、上記各実施形態においてはテーパ状に形成された把持部１０４，２０４の形状に沿って形成されているため、把持部１０４，２０４の軸線ＡＸＨに対して平行ではない。しかし、目印１０５，２０５は、例えば、把持部１０４，２０４の太さを一定に形成することにより把持部１０４，２０５の軸線ＡＸＨに対して平行に形成することもできる。
【００６６】
また、上記第１および第２の各実施形態においては、本発明に係るゴルフクラブ用グリップであるグリップ１０３，２０３をパターに適用した例について説明した。しかし、本発明に係るゴルフクラブ用グリップであるグリップ１０３，２０３は、パター以外のゴルフクラブ、すなわち、ドライバーやアイアンにも適用できることは当然である。
【００６７】
また、上記第１および第２実施形態においては、グリップ１０３，２０３をシャフト１０１，２０１の図示上端部に接着剤によって固定した。しかし、グリップ１０３，２０３の固定は、接着剤以外の固定方法、例えば、両面テープで固定するようにしてもよいし、グリップ１０３，２０３をゴム材や樹脂材などの変形可能な材料で構成することにより弾性力によってシャフト１０１，２０１に対して固定するようにしてもよい。
【符号の説明】
【００６８】
ＡＸＧ，ＡＸＨ，ＡＸＳ…軸線、ＣＣ…ヘッドの重心、Ｓ…スイートスポット、Ｇ…グランド、Ｂ…ゴルフボール、ＢＣ…ゴルフボールの重心、Ｅ…ボール領域、
１００，２００…ゴルフクラブ、１０１，２０１…シャフト、１０２，２０２…ヘッド、１０２ａ，２０２ａ…フェース面、１０２ｂ，２０２ｂ…ヒール、１０２ｃ，２０２ｃ…トゥ、１０３，２０３…グリップ、１０４，２０４…把持部、１０４ａ，２０４ａ…平面部、１０５，２０５…目印、１０６，２０６…挿込部、
１１０…ガイドロッド。
【図１】
2013150914.tif 000003
【図２】
2013150914.tif 000004
【図３】
2013150914.tif 000005
【図４】
2013150914.tif 000006
【図５】
2013150914.tif 000007
【図６】
2013150914.tif 000008
【国際調査報告】
2013150914.tif 000009
2013150914.tif 000010
2013150914.tif 000011
2013150914.tif 000012